(57)【要約】【課題】本発明は、ハンガを掛け吊す所定数のハンガパイプを備え、一のハンガパイプが上下方向に回動するハンガスタンドに関し、ハンガを吊り掛けするパイプの回動操作性を向上させ、回動時の安全性の向上を図ることを目的とする。【解決手段】ハンガが掛け吊されるパイプ１９の両端を支持する２つの支持アーム１８Ａ，１８Ｂが回動自在に２つの支持柱１４Ａ，１４Ｂに支持されるもので、所定の支持アーム１８Ａ，１８Ｂが備える伸縮部材取付部２７Ａ，２７Ｂにトルクバランスを調整するためのバネ２５Ａ，２５Ｂの一端が取り付けられると共に、他端が支持柱１４Ａ，１４Ｂの所定箇所に取り付けられ、当該伸縮部材取付部２７Ａ，２７Ｂにおいて当該バネ２５Ａ，２５Ｂの一端を所定伸縮長とすると共に、回動中心より当該バネ２５Ａ，２５Ｂの当該一端の取付位置までのラインを回動中心の垂直ラインに対して所定角度とさせる構成とする。【選択図】  図１
2005185511.tif 000002
【特許請求の範囲】
【請求項１】
少なくとも一のパイプにハンガを掛け吊りして所定数の当該ハンガによる荷重が付与されるハンガスタンドであって、
前記パイプを両端で支持する２つの支持アームと、
前記それぞれの支持アームを回動自在に支持する２つの支持柱と、
一端が前記何れかの支持アームに関連する取付部に取り付けられ、他端が当該支持アームに対応する前記支持柱の所定箇所に取り付けられるもので、少なくとも前記パイプの回動時に当該パイプに付与される荷重トルクと伸長で生じる付勢トルクのバランス調整を行うための伸縮部材と、
前記支持アームに関連する取付部で、当該支持アームと共に回動するものであり、前記伸縮部材の一端を所定伸縮長で取り付けると共に、当該回動中心の垂直ラインに対して所定角度で取り付け、当該取り付け位置を上記回動中心に対して所定距離に可変自在な伸縮部材取付部と、
を有することを特徴とするハンガスタンド。
【請求項２】
請求項１記載のハンガスタンドであって、前記支持柱の所定箇所に、前記伸縮部材の伸縮長を微調整してその他端を取り付けるための微調整部を備えることを特徴とするハンガスタンド。
【発明の詳細な説明】
【技術分野】
【０００１】
本発明は、ハンガを掛け吊す所定数のハンガパイプを備え、一のハンガパイプが上下方向に回動するハンガスタンドに関する。
【背景技術】
【０００２】
近年、この種ハンガスタンドは押入内やクローゼット内に設置する場合や、床上に設置する場合など種々のものが知られている。例えば、省スペース化、収納性、ハンガ数の増加などの要請から、高い位置や奥まった位置での設置に応じた構成のものや、またハンガパイプの上下２段の構成のものもある。何れの設置形態、使用形態においてもハンガの取り出し易さや取り出し時の安全性が望まれる。
【０００３】
例えば、高い位置や奥まった位置での設置に応じた構成のハンガスタンドとしては、下記の特許文献１，２に開示されたものがあり、特に特許文献１では他にハンガパイプを上下２段構成としたものとして開示されているる。
【０００４】
【特許文献１】特許第２９９０５０５号公報
【特許文献２】特開平８−１９４３３号公報
【０００５】
上記特許文献１には、押入内やクローゼット内に設置されるハンガーラック(ハンガーラック)が開示され、ハンガを掛け吊すための竿杆が上下２段で構成されると共に、当該上下２段の竿杆を両側で支持するアームを、その中心部分で回動させるための脚柱、第１および第２の案内軌道を設けた構成としたものである。すなわち、上下２段の竿杆にそれぞれハンガを掛け吊し、上段の竿杆と下段の竿杆を上下方向に回動させて上段の竿杆に掛け吊されたハンガの掛け替えを迅速、容易としたものである。
【０００６】
また、上記特許文献２には、衣装の掛け外しと収納を容易としたクローゼットが開示され、収納部に収納装置を設けた構成として示されている。収納装置は、収納部の両壁の固定板に取り付けられたブラケットからそれぞれ支持アームが上下方向に回動自在で取り付けられ、当該支持アーム間にハンガーパイプが取り付けられたもので、当該ハンガーパイプ（支持アーム）を引き寄せ具を用いて回動させる構造のものとして開示されている。
【発明の開示】
【発明が解決しようとする課題】
【０００７】
しかしながら、何れの特許文献においても、竿杆やハンガーパイプを手動で回動させる構造のものであり、当該ハンガーパイプに掛け吊されるハンガ（衣料等を装着）の数によって重量が増大したり、上段の竿杆に掛け吊される重量が増大して重量差が大きくなると、下方向への回転始動時に多大な力が必要となって操作性の低下を招くという問題があると共に、回転途中より不意に回転速度が増すこととなって安全性に問題がある。
【０００８】
そこで、本発明は上記課題に鑑みなされたもので、ハンガを吊り掛けするパイプの回動操作性を向上させ、回動時の安全性の向上を図るハンガスタンドを提供することを目的とする。
【課題を解決するための手段】
【０００９】
上記課題を解決するために、請求項１の発明では、少なくとも一のパイプにハンガを掛け吊りして所定数の当該ハンガによる荷重が付与されるハンガスタンドであって、前記パイプを両端で支持する２つの支持アームと、前記それぞれの支持アームを回動自在に支持する２つの支持柱と、一端が前記何れかの支持アームに関連する取付部に取り付けられ、他端が当該支持アームに対応する前記支持柱の所定箇所に取り付けられるもので、少なくとも前記パイプの回動時に当該パイプに付与される荷重トルクと伸長で生じる付勢トルクのバランス調整を行うための伸縮部材と、前記支持アームに関連する取付部で、当該支持アームと共に回動するものであり、前記伸縮部材の一端を所定伸縮長で取り付けると共に、当該回動中心の垂直ラインに対して所定角度で取り付け、当該取り付け位置を上記回動中心に対して所定距離に可変自在な伸縮部材取付部と、を有する構成とする。
【００１０】
請求項２の発明では、「前記支持柱の所定箇所に、前記伸縮部材の伸縮長を微調整してその他端を取り付けるための微調整部を備える」構成である。
【発明の効果】
【００１１】
請求項１の発明によれば、ハンガが掛け吊されるパイプの両端を支持する２つの支持アームが回動自在に２つの支持柱に支持されるもので、所定の支持アームが備える伸縮部材取付部にトルクバランスを調整するための伸縮部材が所定伸縮長かつ回動中心の垂直ラインに対して所定角度となるように一端を取り付けさせると共に、他端を支持柱の所定箇所に取り付けさせ、当該伸縮部材取付部における当該伸縮部材の上記一端の取り付け位置を回動中心に対して所定距離に可変自在とさせることにより、ハンガによる荷重トルクと伸縮部材の伸長による付勢トルクのバランスを調整させることが可能となって小力でパイプの回動が可能となり、回動操作性を向上させることができると共に、回動速度が不意に増さないことから回動時の安全性の向上を図ることができるものである。
【００１２】
請求項２の発明によれば、伸縮部材の他端を取り付ける支持柱の箇所に微調整部を備えさせて当該伸縮部材の伸縮長を微調整させることにより、ハンガによる荷重トルクと付勢トルクのバランスをさらに細かく調整させることができるようになり、さらなる回動操作性を向上させることができ、回動時の安全性の向上を図ることができるものである。
【発明を実施するための最良の形態】
【００１３】
以下、本発明の最良の実施形態を図により説明する。
図１に本発明に係る第１実施形態のハンガスタンドの構成斜視図を示すと共に、図２に図１の微調整部および伸縮部材取付部の構成図を示す。図１および図２(Ａ)、(Ｂ)において、ハンガスタンド１１は、２つの設置部１２Ａ，１２Ｂが梁部１３で固定され、それぞれの設置部１２Ａ，１２Ｂよりそれぞれ支持柱１４Ａ，１４Ｂが設けられる。この支持柱１４Ａ，１４Ｂの上方には、設置面より、例えばハンガに掛けられたロングコートを掛け吊るせる高さに第１パイプ１５が懸架されて固定される。
【００１４】
また、上記支持柱１４Ａ，１４Ｂの上端には係合部１６Ａ，１６Ｂが形成され、その下方に規制部１７Ａ，１７Ｂが設けられる。上記それぞれの係合部１６Ａ，１６Ｂには回動自在にそれぞれ支持アーム１８Ａ，１８Ｂが設けられ、当該支持アーム１８Ａ，１８Ｂの先端間に第２パイプ１９が設けられる。そして、例えば一方の支持アーム１８Ａの所定位置に延引バー２０が設けられ、当該延引バー２０の先端に回動操作具２１が設けられる。この回動操作具２１の先端には掛け溝２１Ａが形成されている。
【００１５】
一方、それぞれの支持柱１４Ａ，１４Ｂの所定箇所には所定数の係止穴２２Ａ，２２Ｂが形成され、一の支持柱１４Ａの所定箇所には上記回動操作具２１の掛け溝２１Ａを掛け止めするためのピン２３が設けられる。そして、所定数の係止穴２２Ａ，２２Ｂが形成されるいる部分には、微調整部２４Ａ，２４Ｂが当該支持柱１４Ａ，１４Ｂを囲うように摺動自在に設けられるもので、当該微調整部２４Ａ，２４Ｂに伸縮部材であるバネ２５Ａ，２５Ｂの他端が係止される。
【００１６】
上記微調整部２４Ａ，２４Ｂは、図２（Ａ）に示すように、リテーナリング、コイルバネ（符号なし）を先端部分に取り付けた固定ピン２６Ａ，２６Ｂが内包（摘み部分は外部に表出）されるもので、上記支持柱１４Ａ，１４Ｂに形成された所定の係止穴２２Ａ，２２Ｂに当該固定ピン２６Ａ，２６Ｂを嵌合させることで当該微調整部２４Ａ，２４Ｂを固定するものである。なお、図示しないが、上記支持柱１４Ａ，１４Ｂに形成された係止穴２２Ａ，２２Ｂの近傍に、どの程度微調整させればよいかの目安（例えば重量［Ｋｇ］）の範囲を表示させてもよい。
【００１７】
また、上記支持アーム１８Ａ，１８Ｂの下方に、関連する取付部としての伸縮部材取付部２７Ａ，２７Ｂが設けられ、バネ２５Ａ，２５Ｂの一端が係止される。当該伸縮部材取付部２７Ａ，２７Ｂは、図１および図２（Ｂ）に示すように、筒状の嵌合部３１Ａ，３１１ＢとＬ字状の摺動部３２Ａ，３２Ｂとにより構成され、当該嵌合部３１Ａ，３１Ｂが支持アーム１８Ａ，１８Ｂに固定されるもので、この嵌合部３１Ａ，３１Ｂに摺動部３２Ａ，３２Ｂが摺動自在に内包される。
【００１８】
上記嵌合部３１Ａ，３１Ｂには形成穴３３Ａ，３３Ｂが形成され、当該係止穴３３Ａ，３３Ｂに対応して摺動部３２Ａ，３２Ｂにおいても係止穴３４Ａ，３４Ｂが形成されている。そして、摺動部３２Ａ，３２Ｂを嵌合部３１Ａ，３１Ｂ内で摺動させて所望の位置であって、互いの係止穴３３Ａ，３３Ｂ，３４Ａ，３４Ｂが合致したときに固定ピン３５Ａ，３５Ｂを嵌合させて固定させるものである。上記摺動部３２Ａ，３２Ｂには、例えば第２パイプ１９にハンガが掛け吊されて付与される荷重に対してどの程度摺動させればよいかの目安（例えば重量［Ｋｇ］）の範囲が表示される。一方で上記第２パイプ１９に付与される荷重に応じたバネ２５Ａ，２５Ｂの伸縮長の初期値を、当該摺動部３２Ａ，３２Ｂを摺動させることで設定させるものである。
【００１９】
また、摺動部３２Ａ，３２Ｂには、バネ２５Ａ，２５Ｂの一端を取り付けるための取付ピン３６Ａ，３６Ｂが設けられる。この取付ピン３６Ａ，３６Ｂは、上記支持アーム１８Ａ，１８Ｂの回動中心に対して当該バネ２５Ａ，２５Ｂが所定角度となる位置に設けられるものである（図４で説明する）。すなわち、摺動部３２Ａ，３２Ｂが嵌合部３１Ａ，３１Ｂ内を摺動されることで、バネ２５Ａ，２５Ｂの一端の取り付け位置が回動中心に対して距離を可変とさせるものである。
【００２０】
ところで、上記バネ２５Ａ，２５Ｂは、上記第２パイプ１９の回動時に付与されるハンガによる荷重トルクと伸長による付勢トルクのバランス調整を行うためのであると共に、回動中心の垂下ラインより所定角度で設けられることで支持アーム１８Ａ，１８Ｂが垂直状態（支持柱１４Ａ，１４Ｂと直線状態）のときに振動等により第２パイプ１９が回動することを回避させるためのものである。
【００２１】
そこで、図３に、図１のハンガスタンドの第２パイプ回転の構成斜視図を示す。図３において、回動操作具２１を下方または下方手前斜めに引き操作すると、延引バー２０を介して支持アーム１８Ａ，１８Ｂと共に第２パイプ１９が係合部１６Ａ，１６Ｂを回動中心として手前側に回動するもので、このとき共に摺動部３２Ａ，３２Ｂも回動することによってバネ２５Ａ，２５Ｂが伸張する。回動する支持アーム１８Ａ，１８Ｂが規制部１７Ａ，１７Ｂに当接することで、回動が規制され、回動操作具２１の掛け溝２１Ａを支持柱１４Ａに設けられたピン２３に係合させることで第２パイプ１９を固定するものである。
【００２２】
そして、当該第２パイプ１９に所定数のハンガ（衣類が掛けられた状態）を掛け吊した後に、回動操作具２１の掛け溝２１Ａをピン２３より解除し、当該回動操作具２１を略上方または斜め奥上方に押し上げることにより支持アーム１８Ａ，１８Ｂと共に第２パイプ１９が上方向に回動することでハンガが上方で掛け吊された状態となるものである。
【００２３】
一方、第２パイプ１９に掛け吊されたハンガを取り外す場合、上記同様に、回動操作具２１を引き操作することで支持アーム１８Ａ，１８Ｂと共に第２パイプ１９を手前側に回動させることで、掛け吊されたハンガが下方に降りた状態とさせるものである。この場合、所定数のハンガが掛け吊された第２パイプ１９には、ハンガに応じた荷重が付与されており、この荷重に応じて伸縮部材取付部２７Ａ，２７Ｂの摺動部３２Ａ，３２Ｂを可変させることによって、当該バネ２５Ａ，２５Ｂによる第２パイプ１９（支持アーム１８Ａ，１８Ｂ）への付勢トルクを上記荷重による荷重トルクとの間でトルクバランスさせるものである。
【００２４】
すなわち、所定数のハンガにより第２パイプ１９に付与される荷重トルクと、当該第２パイプ１９（支持アーム１８Ａ，１８Ｂ）がバネ２５Ａ，２５Ｂの付勢力で規制された付勢トルクとを、摺動部３２Ａ，３２Ｂの摺動位置（当該バネ２５Ａ，２５Ｂの一端の取り付け位置）によってバランス調整させることが可能となり、可動操作具２１による回動を小力で行うことができることとなって回動操作性を向上させることができると共に、当該バネ２５Ａ，２５Ｂの付勢力による規制によって回動速度が不意に増ることがないことから回動時の安全性を向上させることができるものである。なお、上記荷重トルクと付勢トルクのバランス調整については、図４〜図６で説明する。
【００２５】
また、上記バネ２５Ａ，２５Ｂの取り付けを、その初期状態で所定の伸縮長（伸張する方向）とし、かつ回動中心（係合部１６Ａ，１６Ｂの部分）の垂下ラインに対して所定角度（換言すれば、上記垂下ラインと、回動中心からバネ２５Ａ，２５Ｂの一端の取り付け位置までのラインの角度）とすることによって、上記第２パイプ１９が上方位置にある時に、振動等により自然に回動し始めることを回避させることができるものである。
【００２６】
ところで、上記バネ２５Ａ，２５Ｂの他端が取り付けられる微調整部２４Ａ，２４Ｂにおいても、各支持柱１４Ａ，１４Ｂに係止穴２２Ａ，２２Ｂが形成され、固定ピン２６で可変自在に固定することができるもので、当該微調整部２４Ａ，２４Ｂの取り付け位置を変えることによってバネ２５Ａ，２５Ｂの初期付勢力や取り付け角度を微調整することができ、ひいては所定数のハンガによる荷重トルクとバネ２５Ａ，２５Ｂによる付勢トルクのバランスをさらに細かく調整させることができるもので、さらなる回動操作性を向上させることができ、回動時の安全性の向上を図ることができるものである。
【００２７】
そこで、図４に第２パイプ回動によるトルクバランス調整の説明図を示すと共に、図５および図６に図４のトルクバランス調整におけるバネ調整部によるバネ調節のためのグラフを示す。図４（Ａ）は、支持アーム１８Ａ，１８Ｂと共に第２パイプ１９が回動（例えば８０度、１１０度）したときに、バネ２５Ａ，２５Ｂの伸張状態および伸縮部材取付部２７Ａ，２７Ｂの摺動部３２Ａ，３２Ｂの移動軌跡の状態を示したもので、図４（Ｂ）、（Ｃ）は、荷重トルクおよび付勢トルクを計算するための模式図を示したものである。図４（Ａ）に示すように、第２パイプ１９が回動したときに、当該第２パイプ１９には所定数のハンガによる荷重トルクが掛かり、伸縮部材取付部２７Ａ，２７Ｂの摺動部３２Ａ，３２Ｂのそれぞれの回動位置によってバネ２５Ａ，２５Ｂが伸張し、その伸張状態に応じた付勢力が回動中心からの距離に応じた付勢トルクとなる。
【００２８】
すなわち、図４（Ｂ）に示すように、回動中心より第２パイプ１９までの距離をＲとしたときに、回動の角度θ２に応じた所定数のハンガによる荷重Ｗが下方に働くもので、このときの荷重トルクＴWは、
【数１】
2005185511.tif 000003
となる。
【００２９】
このとき、回動中心からの垂下ラインと、回動中心からバネ２５Ａ，２５Ｂの一端の取り付け位置までのラインの角度の初期値をθとし、伸縮部材取付部２７Ａ，２７Ｂの摺動部３２Ａ，３２Ｂの回動角度がθ１（＝θ２＋θ）となる。なお、上記微調整部２４Ａ，２４Ｂでのバネ２５Ａ，２５Ｂの他端の取り付け位置は、回動中心からの垂下ライン上には位置しないが、無視できるものとする。
【００３０】
また、図４（Ｃ）に示すように、付勢トルクＴSは、
【数２】
2005185511.tif 000004
で表される。
【００３１】
ここで、回動中心からバネ２５Ａ，２５Ｂの一端の取り付け位置までの距離をｒ、回動中心からバネ２５Ａ，２５Ｂの他端の取り付け位置（微調整部２４Ａ，２４Ｂ）までの距離をＬ、摺動部３２Ａ，３２の回動角度θ１（＝θ２＋θ）のときのバネ２５Ａ，２５Ｂの全伸長をａ、バネ２５Ａ，２５Ｂの伸ばさない状態から伸びた長さをｘ、回動角度θ１（＝θ２＋θ）のときのバネ２５Ａ，２５Ｂの一端の取り付け位置から上記垂下ラインまでの水平距離をｍ、回動角度θ１（＝θ２＋θ）のときのバネ２５Ａ，２５Ｂの延長上と回動中心との鉛直距離をｈ、回動角度θ１（＝θ２＋θ）のときのバネ２５Ａ，２５Ｂの上記と垂下ラインからの角度をαする。
【００３２】
上記［数２］におけるｈは、
【数３】
2005185511.tif 000005
となる。
【００３３】
また、上記［数２］におけるＦは、
【数４】
2005185511.tif 000006
となる。
【００３４】
すなわち、荷重トルクＴWと付勢トルクＴSが略等しいときに、近似的にトルクバランスがとれ、第２パイプ１９（支持アーム１８Ａ，１８Ｂ）の回動に必要な力を略最小とすることができるもので、このときの回動中心からバネ２５Ａ，２５Ｂの一端の取り付け位置までの距離ｒを摺動部３２Ａ，３２Ｂを移動させて調整すればよいものである。
【００３５】
例えば、ｋ＝０．６８、Ｌ＝０．７［ｍ］、Ｒ＝０．６５［ｍ］、θ＝３０［度］として、所定数のハンガによる荷重Ｗを１０［Ｋｇ］とすると、図５（Ａ）に示すように、ｒ＝０．２５０［ｍ］としたときに、荷重トルクＴWと付勢トルクＴSのトルクバランスが近似的にとれていることがわかる。この場合のトルクバランスは、第２パイプ１９（支持アーム１８Ａ，１８Ｂ）が、例えば約８０度に回動したときに近似的に等しくなるようにしている（以下も同様である）。
【００３６】
同様に、所定数のハンガによる荷重Ｗを７．５［Ｋｇ］のときにｒ＝０．２１５［ｍ］とすると、図５（Ｂ）に示すように、荷重トルクＴWと付勢トルクＴSのトルクバランスが近似的にとれ、また、所定数のハンガによる荷重Ｗを５．０［Ｋｇ］のときにｒ＝０．１７５［ｍ］とすると、図５（Ｃ）に示すように、荷重トルクＴWと付勢トルクＴSのトルクバランスが近似的にとれ、さらに、所定数のハンガによる荷重Ｗを２．５［Ｋｇ］のときにｒ＝０．１２４［ｍ］とすると、図６（Ａ）に示すように、荷重トルクＴWと付勢トルクＴSのトルクバランスが近似的にとれることがわかる。そして、荷重Ｗと、回動中心からバネ２５Ａ，２５Ｂの一端の取り付け位置までの距離ｒとの関係が図６（Ｂ）に示されるものである。
【００３７】
次に、図７に、図１の微調整部および伸縮部材取付部の他の構成説明図を示す。図７（Ａ）において、微調整部４１Ａ，４１Ｂは、所定部分でバネ２５Ａ，２５Ｂの他端を固定して支持柱１４Ａ，１４Ｂを包むように係合するもので、当該支持柱１４Ａ，１４Ｂに対して摺動されて所定位置のときに締め付け圧力により固定させるための固定ネジ４２Ａ，４２Ｂを備えるものである。このような微調整部４１Ａ，４１Ｂの場合には、図１に示すような係止穴２２Ａ，２２Ｂを形成する必要がなくなるものである。なお、上記同様に、支持柱１４Ａ，１４Ｂに、どの程度微調整させればよいかの目安（例えば重量［Ｋｇ］）の範囲を表示させてもよい。
【００３８】
また、図７（Ｂ）において、伸縮部材取付部２７Ａ，２７Ｂの嵌合部３１Ａ，３１Ｂの所定部分に係合穴を形成し、当該係合穴に対応して固定部４３Ａ，４３Ｂを固定し、当該係合穴に係合する固定ネジ４４Ａ，４４Ｂを備えるものである。このような固定部４３Ａ，４３Ｂを備えることで、図１に示すような係止穴３３Ａ，３３Ｂ，３４Ａ，３４Ｂを形成する必要がなくなるもので、摺動部３２Ａ，３２Ｂに表示された移動の目安範囲に沿って固定ネジ４４Ａ，４４Ｂを当該摺動部３２Ａ，３２Ｂに締め付けて圧力により固定させる構成とするものである。
【００３９】
次に、図８に本発明に係る第２実施形態のハンガスタンドの構成斜視図を示すと共に、図９に図８のハンガスタンドの第２パイプ回転の構成斜視図を示す。図８に示すハンガスタンド５１は、支持柱１４Ａ，１４Ｂの上端の係合部１６Ａ，１６Ｂに回動固定部５２Ａ，５２Ｂが回動自在に設けられ、当該回動固定部５２Ａ，５２Ｂに第１および第２パイプ５３Ａ，５３Ｂが固定される。
【００４０】
上記第１および第２パイプ５３Ａ，５３Ｂは、筒状のもので、当該筒内にバネ２５Ａ，２５Ｂの一端が固定される摺動部５４Ａ，５４Ｂを摺動自在に内包させる。また、当該第１および第２パイプ５３Ａ，５３Ｂの下方の所定位置には、係合穴が形成され、当該係合穴に対応して固定される固定部４３Ａ，４３Ｂが備えられ、当該係合穴に係合する固定ネジ４４Ａ，４４Ｂが備えられるものである。上記摺動部５４Ａ，５４Ｂ、固定部４３Ａ，４３Ｂおよび固定ネジ４４Ａ，４４Ｂにより伸縮部材取付部が構成されるものである。すなわち、第１および第２パイプ５３Ａ，５３Ｂ内の摺動部５４Ａ，５４Ｂを、上述のように所望の位置に摺動させ、当該所望位置のときに固定ネジ４４Ａ，４４Ｂにより締め付けることで当該摺動部５４Ａ，５４Ｂを固定させるものである。
【００４１】
一方、支持柱１４Ａ，１４Ｂには、図７（Ａ）に示されるような微調整部４１Ａ，４１Ｂが、バネ２５Ａ，２５Ｂの他端を固定して備えられるものである。なお、他の部分は、図１のハンガスタンド１１と同様であり、各構成部分の説明を省略する。
【００４２】
上述のようなハンガスタンド５１は、回動操作具２１を下方または下方手前斜めに引き操作すると、延引バー２０を介して係合部１６Ａ，１６Ｂを回動中心として固定部４３Ａ，４３Ｂが回動することにより、支持アーム５３Ａ，５３Ｂと共に第２パイプ１９が手前側に回動するもので、このとき共に摺動部５４Ａ，５４Ｂも回動することによってバネ２５Ａ，２５Ｂが伸張する。そして、回動する支持アーム５３Ａ，５３Ｂが規制部１７Ａ，１７Ｂに当接することで、回動が規制され、回動操作具２１の掛け溝２１Ａを支持柱１４Ａに設けられたピン２３に係合させることで第２パイプ１９を固定するものである。
【００４３】
図８および図９に示すようなハンガスタンド５１は、図１に示すハンガスタンド１１と同様の作用効果を有すると共に、組み立てを容易とすることができると共に、摺動部５４Ａ，５４Ｂが支持アーム５３Ａ，５３Ｂに内包されることによって、意匠性を向上させることができるものである。
【００４４】
続いて、図１０に、図８における摺動部の摺動固定の他の構成説明図を示す。図１０において、摺動部５４Ａ，５４Ｂの内部は少なくとも空洞となっており、その上端に係合板５５Ａ，５５Ｂが設けられ、当該係合板５５Ａ，５５Ｂにタップが形成されている。一方、支持アーム５３Ａ，５３Ｂにおいても内部が少なくとも空洞となっており、その上端に孔が形成された支持板５６Ａ，５６Ｂが設けられる。当該支持板５６Ａの孔に長ネジ５７Ａ，５７Ｂが嵌合されるもので、当該長ネジ５７Ａ，５７Ｂの先端より所定長の部分で上記摺動部５４Ａ，５４Ｂの係合板５５Ａ，５５Ｂのタップと螺合され、他方端が支持板５６Ａ，５６Ｂより表出させて摺動ネジ５８Ａ，５８Ｂが固定される構成とさせたものである。そして、長ネジ５７Ａ，５７Ｂにおける係合板５５Ａ，５５Ｂの下方位置の部分には、当該長ネジ５７Ａ，５７Ｂが支持板５６Ａ，５６Ｂより表出させないように規制具５９Ａ，５９Ｂが設けられるものである。
【００４５】
上記のような摺動部の摺動固定は、上記支持アーム５３Ａ，５３Ｂを下方に回動させて位置させた後に、摺動ネジ５８Ａ，５８Ｂを廻すことにより、長ネジ５７Ａ，５７Ｂと螺合した係合板５５Ａ，５５Ｂ（摺動部５４Ａ，５４Ｂ）を移動するものである。すなわち、摺動部５４Ａ，５４Ｂの移動を摺動ネジ５８Ａ，５８Ｂを廻すことで容易に行うことができるようになるものである。
【００４６】
ところで、上記各実施形態では、バネ２５Ａ，２５Ｂを支持柱１４Ａ，１４Ｂ、支持アーム１８Ａ，１８Ｂ，５３Ａ，５３Ｂの両方に設けた場合を示したが、一方のみに形成してもよい。これにしたがって、微調整部２４Ａ，２４Ｂ，４１Ａ，４１Ｂにおいても一方のみでもよいものである。また、支持アーム１８Ａ，１８Ｂ，５３Ａ，５３Ｂ（第２パイプ１９）の回動時のトルクバランスを緩い範囲で近似的に行う場合には上記微調整部２４Ａ，２４Ｂ，４１Ａ，４１Ｂを省略することができるものである。さらに、上記伸縮部材としてバネを使用した場合を示したが、エアシリンダ等の伸縮によって付勢力が発生するものであれば適用することができるものである。さらにまた、上記各実施形態では、２段のパイプで構成した場合を示したが、一の第１パイプ１９のみで構成してもよい。
【産業上の利用可能性】
【００４７】
本発明のハンガスタンドは、押入内やクローゼット内に設置させ、または床上に設置させて、ハンガ掛け吊りパイプを回動させることで手の届かない位置でのハンガの掛け吊りや取り外しを行わせる場合として、一般家庭や衣料等の販売店で利用される場合に適している。
【図面の簡単な説明】
【００４８】
【図１】本発明に係る第１実施形態のハンガスタンドの構成斜視図である。
【図２】図１の微調整部および伸縮部材取付部の構成図である。
【図３】図１のハンガスタンドの第２パイプ回転の構成斜視図である。
【図４】第２パイプ回動によるトルクバランス調整の説明図である。
【図５】図４のトルクバランス調整におけるバネ調整部によるバネ調節のためのグラフ(１)である。
【図６】図４のトルクバランス調整におけるバネ調整部によるバネ調節のためのグラフ(２)である。
【図７】図１の微調整部および伸縮部材取付部の他の構成説明図である。
【図８】本発明に係る第２実施形態のハンガスタンドの構成斜視図である。
【図９】図８のハンガスタンドの第２パイプ回転の構成斜視図である。
【図１０】図８における摺動部の摺動固定の他の構成説明図である。
【符号の説明】
【００４９】
１１，５１        ハンガスタンド
１４              支持柱
１５              第１パイプ
１８，５３        支持アーム
１９              第２パイプ
２４，４１        微調整部
２５              バネ
２６，３５        固定ピン
２７              伸縮部材取付部
３１              嵌合部
３２，５４        摺動部
３５              固定ピン
【図１】
2005185511.tif 000007
【図２】
2005185511.tif 000008
【図３】
2005185511.tif 000009
【図４】
2005185511.tif 000010
【図５】
2005185511.tif 000011
【図６】
2005185511.tif 000012
【図７】
2005185511.tif 000013
【図８】
2005185511.tif 000014
【図９】
2005185511.tif 000015
【図１０】
2005185511.tif 000016